(57)【要約】  【課題】  画像に対して領域毎に色調整処理を行うことができる画像処理システムを提供する。  【解決手段】  画像処理システム１は、クライアントＰＣ４及びプリンタ装置１０を含む。クライアントＰＣ４（印刷要求プログラム５）は、ＲＩＰ後の画像データに基づいてプレビュー画像を表示し、色調整の対象となる色調整領域及び所望の色調整に対応した色変換係数の選択を受け付け、色調整処理を規定する色調整レイヤを生成する。プリンタ装置１０（印刷プログラム６）は、生成された色調整レイヤ（色調整領域及び色変換係数）に応じて、適用する色変換係数を切り替えながら、入力された画像データを印刷用の画像データに変換する。【選択図】図４
2006094297.tif 000002
【特許請求の範囲】
【請求項１】
色調整を行う画像領域を指定する領域指定情報、及び、色調整の調整量を指定する調整量指定情報の入力を受け付ける入力手段と、
入力された領域指定情報及び調整量指定情報に応じて、ラスタライズされた画像データに対して色調整を行う色調整手段と、
前記色調整手段により色調整が行われた画像データに基づいて、出力画像を形成する像形成手段と
を有する画像形成装置。
【請求項２】
入力された画像データを、前記像形成手段により再現される出力色空間に対応したラスタデータに変換するデータ変換手段
をさらに有し、
前記入力手段は、前記データ変換手段により変換されたラスタデータに基づいて、画像を表示させて、表示された画像に対する色調整の領域指定情報及び調整量指定情報を受け付ける
請求項１に記載の画像形成装置。
【請求項３】
前記色調整手段は、入力された領域指定情報に対応する画像領域において、オブジェクトの属性毎に色調整を行う
請求項１に記載の画像形成装置。
【請求項４】
調整量指定情報は、オブジェクトの属性毎に、色調整の内容を指定する情報を含み、
前記色調整手段は、
入力された領域指定情報に対応する画像領域毎に、入力された調整量指定情報に基づいて、オブジェクトの属性に対応する色補正係数を決定する補正係数決定手段と、
領域指定情報に対応する各画像領域において、オブジェクトの属性を判定する属性判定手段と、
前記属性判定手段により判定されたオブジェクトの属性と画像領域とに対応する色補正係数を用いて、このオブジェクトの画像データに対して色補正を行う色補正手段と
を含む
請求項１に記載の画像形成装置。
【請求項５】
前記色調整手段により行われた色調整の調整内容と、この色調整が行われた画像領域とを互いに対応付けて記憶する調整結果記憶手段
をさらに有する請求項１に記載の画像形成装置。
【請求項６】
色調整を行う画像領域を指定する領域指定情報、及び、色調整の調整量を指定する調整量指定情報の入力を受け付ける入力手段と、
入力された領域指定情報及び調整量指定情報に応じて、ラスタライズされた画像データに対して色調整を行う色調整手段と
を有する画像処理装置。
【請求項７】
色調整を行う画像領域を指定する領域指定情報、及び、色調整の調整量を指定する調整量指定情報の入力を受け付け、
入力された領域指定情報及び調整量指定情報に応じて、ラスタライズされた画像データに対して色調整を行う
画像処理方法。
【請求項８】
コンピュータを含む画像処理装置において、
色調整を行う画像領域を指定する領域指定情報、及び、色調整の調整量を指定する調整量指定情報の入力を受け付けるステップと、
入力された領域指定情報及び調整量指定情報に応じて、ラスタライズされた画像データに対して色調整を行うステップと
を前記画像処理装置のコンピュータに実行させるプログラム。
【発明の詳細な説明】
【技術分野】
【０００１】
本発明は、画像の色調整を行う画像処理装置に関する。
【背景技術】
【０００２】
例えば、特許文献１は、印刷データを参照して各オブジェクトの種別（図形、文字、写真）を判別し、判別されたオブジェクト種別に対応する色補正テーブルを選択し、選択された色補正テーブルに基づいてこのオブジェクトの印刷データに対して色補正を行うカラー印刷装置を開示する。
【特許文献１】特開平９−１９３４７７号公報
【発明の開示】
【発明が解決しようとする課題】
【０００３】
本発明は、上述した背景からなされたものであり、画像に対して領域毎に色調整処理を行うことができる画像処理装置を提供することを目的とする。
【課題を解決するための手段】
【０００４】
［画像形成装置］
上記目的を達成するために、本発明にかかる画像形成装置は、色調整を行う画像領域を指定する領域指定情報、及び、色調整の調整量を指定する調整量指定情報の入力を受け付ける入力手段と、入力された領域指定情報及び調整量指定情報に応じて、ラスタライズされた画像データに対して色調整を行う色調整手段と、前記色調整手段により色調整が行われた画像データに基づいて、出力画像を形成する像形成手段とを有する。
【０００５】
好適には、入力された画像データを、前記像形成手段により再現される出力色空間に対応したラスタデータに変換するデータ変換手段をさらに有し、前記入力手段は、前記データ変換手段により変換されたラスタデータに基づいて、画像を表示させて、表示された画像に対する色調整の領域指定情報及び調整量指定情報を受け付ける。
【０００６】
好適には、前記色調整手段は、入力された領域指定情報に対応する画像領域において、オブジェクトの属性毎に色調整を行う。
【０００７】
好適には、調整量指定情報は、オブジェクトの属性毎に、色調整の内容を指定する情報を含み、前記色調整手段は、入力された領域指定情報に対応する画像領域毎に、入力された調整量指定情報に基づいて、オブジェクトの属性に対応する色補正係数を決定する補正係数決定手段と、領域指定情報に対応する各画像領域において、オブジェクトの属性を判定する属性判定手段と、前記属性判定手段により判定されたオブジェクトの属性と画像領域とに対応する色補正係数を用いて、このオブジェクトの画像データに対して色補正を行う色補正手段とを含む。
【０００８】
好適には、前記色調整手段により行われた色調整の調整内容と、この色調整が行われた画像領域とを互いに対応付けて記憶する調整結果記憶手段をさらに有する。
【０００９】
［画像処理装置］
また、本発明にかかる画像処理装置は、色調整を行う画像領域を指定する領域指定情報、及び、色調整の調整量を指定する調整量指定情報の入力を受け付ける入力手段と、入力された領域指定情報及び調整量指定情報に応じて、ラスタライズされた画像データに対して色調整を行う色調整手段とを有する。
【００１０】
［画像処理方法］
また、本発明にかかる画像処理方法は、色調整を行う画像領域を指定する領域指定情報、及び、色調整の調整量を指定する調整量指定情報の入力を受け付け、入力された領域指定情報及び調整量指定情報に応じて、ラスタライズされた画像データに対して色調整を行う。
【００１１】
［プログラム］
また、本発明にかかるプログラムは、コンピュータを含む画像処理装置において、色調整を行う画像領域を指定する領域指定情報、及び、色調整の調整量を指定する調整量指定情報の入力を受け付けるステップと、入力された領域指定情報及び調整量指定情報に応じて、ラスタライズされた画像データに対して色調整を行うステップとを前記画像処理装置のコンピュータに実行させる。
【発明の効果】
【００１２】
本発明の画像処理装置によれば、画像に対して領域毎に色調整処理を行うことができる。
【発明を実施するための最良の形態】
【００１３】
［システム構成］
まず、本発明が適用される画像処理システム１の全体構成を説明する。
図１は、画像処理システム１の全体構成を例示する図である。
図１に例示するように、画像処理システム１は、クライアントＰＣ４及びプリンタ装置１０を有する。クライアントＰＣ４及びプリンタ装置１０は、ＬＡＮ又はＷＡＮなどで構成されたネットワークを介して互いに接続している。
クライアントＰＣ４は、ユーザが画像処理などに用いる汎用コンピュータであり、画像データの編集等を行うＤＴＰソフトウェア、及び、プリンタ装置１０による印刷処理を制御するプリンタドライバ等がインストールされている。
【００１４】
［プリンタ装置］
次に、本発明が適用されるプリンタ装置１０について説明する。
図２は、タンデム型のプリンタ装置１０の構成を示す図である。
図２に示すように、プリンタ装置１０は、画像読取ユニット１２、画像形成ユニット１４、中間転写ベルト１６、用紙トレイ１７、用紙搬送路１８、定着器１９及び画像処理装置２０を有する。このプリンタ装置１０は、クライアントＰＣ４（図１）から受信した画像データを印刷するプリンタ機能に加えて、画像読取装置１２を用いたフルカラー複写機としての機能、及び、ファクシミリとしての機能を兼ね備えた複合機であってもよい。
【００１５】
まず、プリンタ装置１０の概略を説明すると、プリンタ装置１０の上部には、画像読取装置１２及び画像処理装置２０が配設され、画像データの入力手段として機能する。画像読取装置１２は、原稿に表示された画像を読み取って、画像処理装置２０に対して出力する。画像処理装置２０は、画像読取装置１２から入力された画像データ、又は、ＬＡＮなどのネットワーク（図１）を介してクライアントＰＣ４等から入力された画像データに対して、色変換、階調補正及び解像度補正などの画像処理を施し、画像形成ユニット１４に対して出力する。
画像読取装置１２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。中間転写ベルト１６は、中間転写体として図中矢印Ａの方向に回動し、これら４つの画像形成ユニット１４Ｋ、１４Ｙ、１４Ｍ、１４Ｃは、画像処理装置２０から入力された画像データに基づいて各色のトナー像を順次形成し、これら複数のトナー像が互いに重ね合わせられるタイミングで中間転写ベルト１６に転写（一次転写）する。なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００１６】
用紙搬送路１８は、中間転写ベルト１６の下方に配設されている。用紙トレイ１７から供給された記録用紙３２は、この用紙搬送路１８上を搬送され、上記中間転写ベルト１６上に多重に転写された各色のトナー像が一括して転写（二次転写）され、転写されたトナー像が定着器１９によって定着され、矢印Ｂに沿って外部に排出される。
【００１７】
次に、プリンタ装置１０の各構成についてより詳細に説明する。
図２に示すように、画像読取ユニット１２は、原稿を載せるプラテンガラス１２４と、この原稿をプラテンガラス１２４上に押圧するプラテンカバー１２２と、プラテンガラス１２４上に載置された原稿の画像を読み取る画像読取装置１３０とを有する。この画像読取装置１３０は、プラテンガラス１２４上に載置された原稿を光源１３２によって照明し、原稿からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿３０の色材反射光像を所定のドット密度（例えば、１６ドット／ｍｍ）で読み取るように構成されている。
【００１８】
画像処理装置２０は、画像読取ユニット１２により読み取られた画像データに対して、シェーディング補正、原稿の位置ズレ補正、明度／色空間変換、ガンマ補正、枠消し、色／移動編集等の所定の画像処理を施す。なお、画像読取ユニット１２により読み取られた原稿の色材反射光像は、例えば、赤（Ｒ）、緑（Ｇ）、青（Ｂ）（各８ｂｉｔ）の３色の原稿反射率データであり、画像処理装置２０による画像処理によって、イエロー（Ｙ）、マゼンタ（Ｍ）、シアン（Ｃ）、黒（Ｋ）（各８ｂｉｔ）の４色の原稿色材階調データに変換される。
【００１９】
第１の画像形成ユニット１４Ｋ、第２の画像形成ユニット１４Ｙ、第３の画像形成ユニット１４Ｍ及び第４の画像形成ユニット１４Ｃ（像形成手段）は、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２０から入力された画像データに応じてレーザ光を走査する光走査装置１４０Ｋと、この光走査装置１４０Ｋにより走査されたレーザ光により静電潜像が形成される像形成装置１５０Ｋとを有する。
【００２０】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋよって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
像形成装置１５０Ｋは、矢印Ａの方向に沿って所定の回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５４Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナーで現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００２１】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に所定の速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００２２】
用紙搬送路１８には、用紙トレイ１７から記録用紙３２を取り出す給紙ローラ１８１と、用紙搬送用の第１のローラ対１８２、第２のローラ対１８３及び第３のローラ対１８４と、記録用紙３２を既定のタイミングで二次転写位置に搬送するレジストロール１８５とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙３２上に二次転写される。各色のトナー像が転写された記録用紙３２は、第１の搬送ベルト１８６及び第２の搬送ベルト１８７によって定着器１９へと搬送される。
定着器１９は、上記各色のトナー像が転写された記録用紙３２に対して加熱処理及び加圧処理を施すことにより、トナーを記録用紙３２に溶融固着させる。
【００２３】
［クライアントＰＣ］
次に、本発明が適用されるクライアントＰＣ４について説明する。
図３は、本発明にかかる画像処理方法が適応されるクライアントＰＣ４のハードウェア構成を、制御装置４０を中心に例示する図である。
図３に例示するように、クライアントＰＣ４は、ＣＰＵ４０２及びメモリ４０４などを含む制御装置４０、通信装置４２、ＨＤＤ・ＣＤ装置などの記録装置４４、並びに、ＬＣＤ表示装置あるいはＣＲＴ表示装置およびキーボード・タッチパネルなどを含むユーザインターフェース装置（ＵＩ装置）４６から構成される。ＵＩ装置４６は、入力手段の一例である。
【００２４】
［背景］
例えば、特開平９−１９３４７７号公報では、図形、文字、写真等のオブジェクトを判定し、オブジェクトごとにプリンタの色補正関数を切り替えて色変換を行い印刷する方法が開示されている。
これにより、ユーザは、印刷物を視認して色補正を要すると判断した場合などに、ＤＴＰソフトウェアや他のアプリケーションまで立ち返り、オブジェクトごとに色補正を行う必要がなくなる。
【００２５】
しかしながら、この方法では、各オブジェクトに適用される色補正係数が固定となる。そのため、例えば、同一画像上に複数の写真オブジェクトが存在する場合に、これらの写真オブジェクトに対して同じ色調整が施されることになり、それぞれの写真画像の色調整を最適に行うことができない。
そのため、それぞれの写真画像に対して別個の色調整を行う場合は、やはり再度ＤＴＰソフトウェアや画像処理ソフト等のアプリケーションまで立ち返る必要がある。
また、ＤＴＰソフトウェアや画像処理ソフト等のアプリケーションで色調整する場合は、アプリケーションによる色調整の知識がないと意図した調整を行うことが困難である。したがって、印刷対象となる画像において、写真画像、文字画像及びコンピュータグラフィックス画像（ＣＧ画像）等が混在する場合に、写真画像に相当する部分を色調整するためには、写真調整用のアプリケーションに立ち返る必要があるため、写真調整用アプリケーションの知識を要し、ＣＧ画像に相当する部分を色調整するためには、ＣＧ画像を描画するアプリケーションに立ち返る必要があり、ＣＧ画像用アプリケーションの知識を要する。すなわち、複数のアプリケーションに立ち返る必要があるため、複数のアプリケーションにおける色調整の知識が要求されることとなる。
【００２６】
そこで、本実施形態における画像処理システム１は、レイアウト後の画像データに対して、画像領域を指定した色調整処理の要求を受け付け、この要求に応じて、指定された画像領域に対して色調整処理を行う。
【００２７】
［画像処理プログラム］
図４は、クライアントＰＣ４（図１，図３）により実行される印刷要求プログラム５の機能構成、及び、プリンタ装置１０（図１，図２）により実行される印刷プログラム６の機能構成を例示する図である。
図４に例示するように、印刷要求プログラム５は、印刷指示部５１０、レイアウト表示部５２０、及び、色調整レイアウト作成部５３０を有する。また、色調整レイアウト作成部５３０は、調整領域選択部５３２、変換係数選択部５３４及び色調整設定部５３６を含む。印刷要求プログラム５は、クライアントＰＣ４にインストールされる。
また、印刷プログラム６は、印刷制御部６１０、描画展開部６２０、オブジェクト判定部６３０、色変換レイアウト記憶部６４０、変換係数格納部６５０及び色変換部６６０を有する。印刷プログラム６は、プリンタ装置１０の画像処理装置２０にインストールされる。
なお、本例の印刷要求プログラム５及び印刷プログラム６は、ソフトウェアにより実現されるが、その一部又は全部をＡＳＩＣなどのハードウェアにより実現されてもよい。
【００２８】
印刷要求プログラム５において、印刷指示部５１０は、ユーザの操作に応じて、印刷要求データを作成し、作成された印刷要求データを印刷制御部６１０に出力する。印刷要求データには、印刷対象となる入力画像の画像データ、及び、印刷枚数等の印刷条件を指定するデータ等が含まれている。また、入力画像の画像データは、例えば、複数のオブジェクトが含まれたＰＤＬファイルである。
【００２９】
レイアウト表示部５２０は、入力画像の画像データに基づいて生成されたレイアウト画像をＵＩ装置４６（図３）に表示する。レイアウト画像は、例えば、描画コマンドに応じて複数のオブジェクトが配置された画像であり、例えば、ＰＤＬファイルに基づいて生成されたラスタ画像（ラスタライズにより画素群が配列された画像）である。
より具体的には、レイアウト表示部５２０は、画像出力装置（本例ではプリンタ装置１０）の画像出力特性に応じた色圧縮処理が施されたレイアウト画像の画像データ（描画展開部６２０から入力されるＬａｂ色空間の画像データ）を、ＵＩ装置４６のＩＣＣプロファイルを用いてＵＩ装置４６の出力色空間の画像データに変換して表示する。
ユーザは、レイアウト表示部５２０により表示されたレイアウト画像の中から、色調整の対象となる画像領域（色調整領域）を選択する。
【００３０】
色調整レイアウト作成部５３０は、ユーザの操作に応じて、図５に例示する色調整レイヤ７１０のデータを作成し、作成された色調整レイヤ７１０のデータを色変換レイアウト記憶部６４０に出力する。
図５は、色調整レイヤ７１０を用いた色変換処理を説明する図である。
図５に例示するように、色調整レイヤ７１０は、色調整処理の内容を規定する調整内容情報とこの色調整処理の対象領域（色調整領域７１２）を規定する領域情報とを互いに対応付けられた状態で含むデータであり、図５で例示するように、色調整処理の対象となる入力画像（画像レイヤ７００）と重なり合うレイヤとして模式的に表現される。この画像レイヤ７００及び色調整レイヤ７１０は、画像出力装置（プリンタ装置１０）に入力されると、色調整レイヤ７１０に基づいて画像レイヤ７００に色調整処理が施され、出力画像７２０として出力される。
【００３１】
より具体的には、調整領域選択部５３２は、ユーザの操作に応じて、色調整の対象領域（色調整領域）を選択し、選択された色調整領域をオブジェクト判定部６３０に通知する。本例の調整領域選択部５３２は、レイアウト表示部５２０により表示されたレイアウト画像の中から、色調整量域を選択する。
【００３２】
変換係数選択部５３４は、ユーザの操作に応じて、調整領域選択部５３２により選択された色調整領域に適用すべき色変換係数を選択し、選択された色変換係数を色調整領域に対応付けて色調整レイヤ７１０（図５）とする。本例の変換係数選択部５３４は、選択された色調整領域に含まれるオブジェクトの属性毎に、色変換係数を選択する。色変換係数とは、色変換処理（本例では、Ｌａｂ空間の画像データをプリンタ装置の出力色空間（ＣＭＹＫ色空間）の画像データに変換する色変換処理）を規定する係数であり、例えば、プリンタ装置１０に設けられた複数のＩＣＣプロファイル（色再現が異なる複数のプロファイル）などである。
【００３３】
色調整設定部５３６は、ユーザの操作に応じて、調整領域選択部５３２により選択された色調整領域に対する色調整処理を設定し、設定された色調整処理の内容を色調整領域に対応付けて色調整レイヤ７１０（図５）とする。本例の色調整設定部５３６は、選択された色調整領域に含まれるオブジェクトの属性毎に、色調整処理の内容を設定する。色調整処理とは、明度、彩度、コントラスト、又はカラーバランス等を変更する処理である。
【００３４】
印刷プログラム６において、印刷制御部６１０は、印刷指示部５１０から入力された印刷要求データに応じて、印刷プログラム６の各構成を制御して、印刷用の画像データ（ＣＭＹＫ画像）を作成し、作成された印刷用画像データ（Ｃ画像、Ｍ画像、Ｙ画像及びＫ画像）を各画像形成ユニット１４（図２）に出力する。
【００３５】
描画展開部６２０（データ変換手段）は、印刷制御部６１０の制御に応じて、入力画像の画像データ（ＰＤＬファイル）を解釈して、ラスタデータを生成する。生成されるラスタデータは、例えば、Ｌａｂ色空間の画像データである。
また、描画展開部６２０は、プリンタ装置１０のＩＣＣプロファイルを用いて、生成されたラスタデータをプリンタ装置１０の色再現域に応じた画像データ（少なくとも色圧縮処理が施された画像データ）に変換し、レイアウト表示部５２０に出力する。
【００３６】
オブジェクト判定部６３０（属性判定手段）は、調整領域選択部５３２により選択された色調整領域に含まれるオブジェクト（文字画像、写真画像、ＣＧ画像等）を判定し、判定結果を変換係数選択部５３４等に出力する。
【００３７】
色変換レイアウト記憶部６４０（調整結果記憶手段）は、色調整レイアウト作成部５３０から入力される色調整レイヤ７１０（図５）を、色調整の対象となる画像レイヤ７００に対応付けて記憶する。
また、色変換レイアウト記憶部６４０は、記憶されている色調整レイヤ７１０をテンプレートとして色調整レイアウト作成部５３０に出力する。
なお、本例では、色変換レイアウト記憶部６４０がプリンタ装置側（印刷プログラム６）に設けられている形態を具体例として説明するが、これに限定されるものではなく、例えば、クライアントＰＣ側（印刷要求プログラム５）に色変換レイアウト記憶部６４０を設けて、クライアントＰＣ側で色調整レイヤ７１０を保存するようにしてもよい。
【００３８】
変換係数格納部６５０（補正係数決定手段）は、色調整レイヤ７１０（図５）に基づいて色変換係数を決定し、決定された色変換係数を格納する。格納される色変換係数は、色変換の対象となる入力画像、色変換の対象となる対象領域、及び、色変換の対象となるオブジェクトの属性に対応付けられている。
【００３９】
色変換部６６０（色補正手段）は、変換係数格納部６５０により格納された色変換係数を用いて、入力画像の画像データ（本例では、Ｌａｂ色空間の画像データ）を、プリンタ装置１０の色空間（ＣＭＹＫ色空間）の画像データに変換する。より具体的には、色変換部６６０は、対象領域（色調整領域等）及びオブジェクトの属性に対応付けられている色変換係数を用いて、対象領域及びオブジェクトの属性に応じて色変換係数を切り替えながら色変換処理を行う。これにより、色調整レイヤ７１０に基づいて色調整がなされた出力画像７２０（図５）が生成される。
【００４０】
［入力画面］
次に、クライアントＰＣ４に表示される入力画面を説明する。
図６は、ＵＩ装置４６に表示されるトップ画面８００を例示する図である。
図６に例示するように、トップ画面８００には、入力画像７００等が表示されるプレビュー領域８１０と、色調整領域の選択処理を行うための色調整領域追加ボタン８２０と、色変換係数の設定処理を行うための色変換係数設定ボタン８３０と、色調整の設定処理を行うための色調整設定ボタン８４０と、印刷開始の指示を行うための印刷開始ボタン８５０と、色調整レイヤ７１０の読み出しを行うためのレイアウト読出しボタン８６０と、作成された色調整レイヤ７１０の保存を行うためのレイアウト保存ボタン８７０とが設けられている。
プレビュー領域８１０は、レイアウト表示部５２０（図４）により表示される領域であり、入力画像７００に対応するレイアウト画像（プリンタ装置１０の色再現域に応じて色域圧縮が施された入力画像）を表示する。また、このレイアウト画像において色調整領域が選択されると、選択された色調整領域を示す領域表示８１２がレイアウト画像上に表示される。本例では、２つの色調整領域が選択されているため、２つの領域表示８１２が表示されている。
また、色調整レイヤ７１０の保存が指示されると、この色調整レイヤ７１０に基づいて色調整がなされた入力画像７００が、プレビュー領域８１０に表示される。より具体的には、レイアウト保存ボタン８７０がクリックされると、印刷プログラム６は、色調整レイヤ７１０を保存すると共に、この色調整レイヤ７１０に基づいて入力画像７００に色変換処理を行い（すなわち、色調整レイヤ７１０に応じた色調整処理を行い）、色変換処理が行われた入力画像７００（ＣＭＹＫ画像）を、装置に依存しない色空間の画像データ（Ｌａｂ画像）に変換し、印刷要求プログラム５のレイアウト表示部５２０に出力する。レイアウト表示部５２０は、この画像データに基づいて、色調整処理が施された入力画像７００をプレビュー領域８１０に表示する。
【００４１】
色調整領域追加ボタン８２０は、調整領域選択部５３２により表示される操作領域であり、色調整領域の追加要求を受け付ける。この色調整領域追加ボタン８２０がクリックされると、プレビュー領域８１０内で領域選択操作が可能になり、調整領域選択部５３２は、領域選択操作を検知して、検知結果に応じて色調整領域を追加する。
【００４２】
色変換係数設定ボタン８３０は、変換係数選択部５３４により表示される操作領域であり、色変換係数の設定要求を受け付ける。この色変換係数設定ボタン８３０がクリックされると、変換係数設定部５３４は、色変換係数選択画面８０２（後述）を表示する。
【００４３】
色調整設定ボタン８４０は、色調整設定部５３６により表示される操作領域であり、色調整の設定要求を受け付ける。この色調整設定ボタン８４０がクリックされると、色調整設定部５３６は、色変換係数選択画面８０２（後述）を表示する。
【００４４】
印刷開始ボタン８５０は、印刷開始の指示を受け付ける。
レイアウト読出しボタン８６０は、色調整レイアウト作成部５３０により表示される操作領域であり、色変換レイアウト記憶部６４０に記憶された色調整レイヤ７１０の読み出し要求を受け付ける。このレイアウト読出しボタン８６０がクリックされると、色調整レイアウト作成部５３０は、色変換レイアウト記憶部６４０から所望の色調整レイヤ７１０のデータを読み出し、読み出された色調整レイヤ７１０をテンプレートして表示する。
【００４５】
レイアウト保存ボタン８７０は、色調整レイアウト作成部５３０により表示される操作領域であり、色調整レイヤ７１０のデータの保存要求を受け付ける。このレイアウト保存ボタン８７０がクリックされると、色調整レイアウト作成部５３０は、作成された色調整レイヤ７１０のデータを、色変換レイアウト記憶部６４０に記憶させる。
【００４６】
図７は、１つのテンプレート（色調整レイアウト記憶部６４０に記憶されている色変換レイヤ）を用いて新たな色変換レイヤ７１０を作成する方法を説明する図である。
レイアウト読出しボタン８６０（図６）がクリックされると、図７（Ａ）に例示するように、色調整レイアウト記憶部６４０に記憶されている色調整レイヤ７１０ａが読み出されて表示される。本例の色調整レイヤ７１０ａには、２つの色調整領域（色調整領域Ａ及び色調整領域Ｂ）が設定されており、それぞれの色調整領域に対応する色調整処理の内容は、色変換係数設定ボタン８３０又は色調整設定ボタン８４０のクリックにより閲覧できる。
ユーザは、色調整領域をドラッグ等することにより、テンプレートに含まれる色調整領域の位置、形状及び大きさを変更することができる。本例では、図７（Ｂ）に例示するように、テンプレートに含まれる色調整量域Ｂが、色調整量域Ｂ’に変更される。これに応じて、色調整レイアウト作成部５３０は、色変更レイアウト記憶部６４０から読み出されたテンプレート（色調整レイヤ）の色調整領域の位置、形状及び大きさを更新する。また、それぞれの色調整量域に設定された色調整処理の内容（色変換係数等）は、色変換係数設定ボタン８３０又は色調整設定ボタン８４０のクリックにより変更できる。
また、ユーザは、色調整領域追加ボタン８２０をクリックすることにより、このテンプレートに対して色調整領域（本例では色調整領域Ｃ）を新たに追加することができる。
【００４７】
図８は、複数のテンプレート（色調整レイアウト記憶部６４０に記憶されている複数の色変換レイヤ）を用いて新たな色変換レイヤ７１０を作成する方法を説明する図である。
例えば、レイアウト読出しボタン８６０（図６）をクリックして２つの色調整レイヤ７１０（色調整レイヤａ及び色調整レイヤｃ）が指定されると、図８（Ａ）に例示するように、色調整レイアウト記憶部６４０に記憶されている２つの色調整レイヤ７１０（色調整レイヤａ及び色調整レイヤｃ）が読み出されて、それぞれテンプレートとして別のウインドウに表示される。
ユーザがこれらのテンプレート（色調整レイヤ７１０）の合成を指示すると、色調整レイアウト作成部５３０は、これらのテンプレートに含まれる色調整領域の和集合を求めて、新たな色調整レイヤ７１０ｄを作成する。本例では、図８（Ｂ）に例示するように、第１の色調整レイヤ７１０ａに含まれる色調整領域Ａ及び色調整領域Ｂと、第２の色調整レイヤ７１０ｃに含まれる色調整領域Ａ及び色調整領域Ｄとが合成されて、色調整領域Ａ、色調整領域Ｂ及び色調整領域Ｄが含まれた色調整レイヤ７１０ｄが生成される。なお、色調整レイアウト作成部５３０は、複数のテンプレートに基づいて、色調整領域７１０の重なり部分（積集合）からなる色調整レイヤ７１０を作成してもよい。
【００４８】
図９（Ａ）は、色変換係数選択画面８０２を例示し、図９（Ｂ）は、色調整設定画面８０４を例示する図である。
プレビュー領域８１０（図６）においていずれかの領域表示８１２がアクティブとなった状態（選択された状態）で、色変換係数設定ボタン８３０がクリックされると、図９（Ａ）に例示するように、この領域表示８１２に対応する色調整領域に対する色変換係数を設定するための色変換係数選択画面８０２が表示される。色変換係数選択画面８０２には、オブジェクトの属性（文字画像、自然画像（写真画像）、ＣＧ画像等）を選択するためのチェックボックス８３２と、各オブジェクト属性に対して適用すべき色変換係数を選択する係数選択領域８３４とが設けられている。ユーザは、所望のオブジェクト属性に対応するチェックボックス８３２をチェックすると、このオブジェクト属性の色変換係数を選択する係数選択領域８３４がアクティブとなり、色変換係数の選択が可能になる。
変換係数選択部５３４は、チェックボックス８３２及び係数選択領域８３４に対する操作を検知して、それぞれの色調整領域に対する色変換係数を選択する。
【００４９】
プレビュー領域８１０（図６）においていずれかの領域表示８１２がアクティブとなった状態（選択された状態）で、色調整設定ボタン８４０がクリックされると、図９（Ｂ）に例示するように、この領域表示８１２に対応する色調整領域に対する色調整内容を設定するための色調整設定画面８０４が表示される。色調整設定画面８０４には、オブジェクト属性の選択を行うか否かを指定するためのチェックボックス８４２と、オブジェクト属性の選択を受け付ける属性選択領域８４４と、明度、彩度及びコントラスト等の変更量を指定するスライダーバー８４６とが設けられている。
チェックボックス８４２がチェックされると、属性選択領域８４４におけるオブジェクト属性の選択が可能になり、このチャックボックス８４４のチェックがはずされると、選択された色調整領域に含まれる全オブジェクト属性が選択された状態となる。すなわち、チェックボックス８４４のチェックがはずされると、オブジェクト判定部６３０により判定されたオブジェクト属性が、属性選択領域８４４において選択された状態となる。
明度、彩度及びコントラストに対応する各スライダーバー８４６は、選択された色調整領域内の、選択されたオブジェクト属性に対する色調整量の指定を受け付ける。
色調整設定部５３６は、色調整設定画面８０４におけるユーザの操作に応じて、色調整領域に含まれる各オブジェクト属性について、明度、彩度又はコントラストの調整量を設定する。
【００５０】
［全体動作］
次に、印刷要求プログラム５及び印刷プログラム６の動作を説明する。
図１０は、画像処理システム１における印刷処理（Ｓ１０）を説明するフローチャートである。
図１０に示すように、ステップ１００（Ｓ１００）において、印刷要求プログラム５（図４）の印刷指示部５１０は、ＰＤＬファイル（入力画像）が含まれた印刷要求データを印刷プログラム６の印刷制御部６１０に出力する。
印刷制御部６１０は、描画展開部６２０に対してＰＤＬファイルを転送して、プレビュー画像の生成を指示する。
描画展開部６２０は、印刷制御部６１０から転送されたＰＤＬファイルを解釈して、入力画像のラスタデータを生成し、生成されたラスタデータを印刷制御部６１０、オブジェクト判定部６３０及び色変換レイアウト記憶部６４０に出力する。また、描画展開部６２０は、生成された入力画像のラスタデータに対して、プリンタ装置１０の色再現域に応じた色圧縮処理を施し、色圧縮処理が施された画像データをプレビュー用としてレイアウト表示部５２０に出力する。
レイアウト表示部５２０は、描画展開部６２０から入力された入力画像のラスタデータに対して、ＵＩ装置４６のＩＣＣプロファイルを用いて、プレビュー表示用の画像データを作成し、プレビュー領域８１０（図６）に表示する。
【００５１】
ステップ１１０（Ｓ１１０）において、ユーザは、色調整領域追加ボタン８２０（図６）をクリックし、その後、プレビュー領域８１０において、色調整領域の範囲を選択する。
調整領域選択部５３２は、このユーザ操作を検知して、色調整領域を選択し、選択された色調整領域をオブジェクト判定部６３０に出力する。
【００５２】
ステップ１２０（Ｓ１２０）において、オブジェクト判定部６３０は、調整領域選択部５３２により選択された色調整領域に含まれるオブジェクトの属性を、描画展開部６２０から入力された入力画像の画像データに基づいて判定し、属性の判定結果を色調整レイアウト作成部５３０及び描画展開部６２０に出力する。なお、描画展開部６２０に出力された属性の判定結果は、印刷制御部６１０を介して色変換部６６０に入力されて、色変換処理におけるオブジェクトの属性特定に用いられる。
印刷要求プログラム５は、選択された色調整領域にＣＧ画像（本フローチャートでは文字画像を含む）が含まれている場合に、Ｓ１３０の処理に移行し、選択された色調整領域に自然画像（写真画像等）が含まれている場合に、Ｓ１４０の処理に移行する。なお、ＣＧ画像及び自然画像の両方が色調整領域に含まれている場合に、Ｓ１３０及びＳ１４０の処理がなされる。
【００５３】
ステップ１３０（Ｓ１３０）において、変換係数選択部５３４は、色変換係数設定ボタン８３０（図６）がクリックされると、色変換係数選択画面８０２（図９（Ａ））を表示して、ＣＧ画像に適用すべき色変換係数の選択を受け付け、選択された色変換係数をこの色調整領域及びオブジェクト属性（ＣＧ画像）に対応付ける。
また、色調整設定部５３６は、色調整設定ボタン８４０（図６）がクリックされると、色調整設定画面８０４（図９（Ｂ））を表示して、ＣＧ画像に適用すべき色調整処理の内容（明度変更、彩度変更、コントラスト変更）の指定を受け付け、指定された色調整処理の内容をこの色調整領域及びオブジェクト属性（ＣＧ画像）に対応付ける。
【００５４】
ステップ１４０（Ｓ１４０）において、変換係数選択部５３４は、色変換係数設定ボタン８３０（図６）がクリックされると、色変換係数選択画面８０２（図９（Ａ））を表示して、自然画像に適用すべき色変換係数の選択を受け付け、選択された色変換係数をこの色調整領域及びこのオブジェクト属性（自然画像）に対応付ける。
また、色調整設定部５３６は、色調整設定ボタン８４０（図６）がクリックされると、色調整設定画面８０４（図９（Ｂ））を表示して、自然画像に適用すべき色調整処理の内容（明度変更、彩度変更、コントラスト変更）の指定を受け付け、指定された色調整処理の内容をこの色調整領域及びオブジェクト属性（自然画像）に対応付ける。
【００５５】
ステップ１５０（Ｓ１５０）において、色調整レイアウト作成部５３０は、レイアウト保存ボタン８７０（図６）がクリックされるか、又は、色調整領域追加ボタン８２０（図６）がクリックされるまで待機する。色調整レイアウト作成部５３０は、レイアウト保存ボタン８７０がクリックされた場合に、Ｓ１６０の処理に移行し、色調整領域追加ボタン８２０がクリックされた場合に、Ｓ１１０の処理に戻る。
【００５６】
ステップ１６０（Ｓ１６０）において、色調整レイアウト作成部５３０は、色調整領域及びオブジェクト属性に対応付けられた色変換係数又は色調整処理内容に基づいて、色調整レイヤ７１０（図５）を作成し、作成された色調整レイヤ７１０のデータを色変換レイアウト記憶部６４０に記憶させる。
色変換レイアウト記憶部６４０は、色調整レイアウト作成部５３０から入力された色変換レイヤ７１０を、入力画像の画像データ（画像レイヤ７００（図５））に対応付けて記憶する。
図１１は、色変換レイアウト記憶部６４０に記憶される色調整レイアウトデータベース６４２を例示する図である。
図１１に例示するように、色調整レイアウト作成部５３０から入力された色変換レイヤ７１０は、入力画像の画像データ（画像レイヤ７００）に対応付けて色調整レイアウトデータベース（色調整レイアウトＤＢ）６４２に登録される。１つの色調整レイヤには、少なくとも１つの色調整領域が設定されており、それぞれの色調整領域について、オブジェクト属性に対応する色変換係数（「変換係数１」など）又は色調整処理内容（「Ｌ値＋２」など）が設定されている。
【００５７】
ステップ１７０（Ｓ１７０）において、色変換部６６０は、色変換レイアウト記憶部６４０から、印刷対象となる入力画像に対応する色調整レイヤ７１０を読み出して、読み出された色調整レイヤ７１０に基づいて、色変換係数を決定し、決定した色変換係数を変換係数格納部６５０に格納する。
色変換部６６０は、変換係数格納部６５０に格納された色変換係数（色調整領域及びオブジェクト属性に対応付けられたもの）を参照し、画像領域及びオブジェクト属性に対応する色変換係数を用いて、入力画像の画像データを印刷用の画像データ（ＣＭＹＫ画像）に変換する。
【００５８】
ステップ１８０（Ｓ１８０）において、印刷制御部６１０は、色変換部６６０により色変換された画像データ（ＣＭＹＫ画像）を、プリンタ装置１０のＩＣＣプロファイルを用いて装置に依存しない色空間の画像データ（Ｌａｂ画像）に変換し、この画像データ（Ｌａｂ画像）をレイアウト表示部５２０に出力する。
レイアウト表示部５２０は、この画像データ（ＣＭＹＫ画像から逆変換されたＬａｂ画像）を、ＵＩ装置４６のＩＣＣプロファイルを用いて表示用の画像データ（ＲＧＢ画像）に変換し、プレビュー画像（色調整処理が適用された画像）として表示する。
ユーザが印刷開始ボタン８５０（図６）をクリックすると、印刷制御部６１０は、色変換部６６０により色変換された画像データ（ＣＭＹＫ画像）を、画像形成ユニット１４に転送する。これにより、色調整が施された画像データが、記録用紙に印刷される。
【００５９】
以上説明したように、本実施形態における画像処理システム１は、レイアウト後（ＲＩＰ後）の画像データに対して色調整を施すことにより、ドキュメントに含まれる画像領域毎に色調整を行うことができる。これにより、同一のドキュメント（入力画像）の異なる場所に似ている色がある場合でも、その色をシフトさせることなく、目的のオブジェクトだけ色調整を行うことができる。
また、本画像処理システム１は、プレビュー画像に対して、色調整の対象となる色調整領域を指定することで、ＤＴＰソフトウェアまで立ち返ることなく、レイアウトされた後の画像データに対してもオブジェクトの色調整を行うことができる。
また、本画像処理システム１は、レイアウト後の画像データに対して色調整を施し、この色調整の設定情報（色調整レイヤ）を保存し、保存されている色調整の設定情報（色調整レイヤ）を編集又は合成等することで、色調整の設定処理を容易にする。これにより、ＤＴＰソフトウェア等のアプリケーションにおける色調整の知識がない者であっても、保存されている色調整レイヤを使用することで、色調整の知識がある者と同様の色調整を行うことが可能である。
【図面の簡単な説明】
【００６０】
【図１】画像処理システム１の全体構成を例示する図である。
【図２】タンデム型のプリンタ装置１０の構成を示す図である。
【図３】本発明にかかる画像処理方法が適応されるクライアントＰＣ４のハードウェア構成を、制御装置４０を中心に例示する図である。
【図４】クライアントＰＣ４（図１，図３）により実行される印刷要求プログラム５の機能構成、及び、プリンタ装置１０（図１，図２）により実行される印刷プログラム６の機能構成を例示する図である。
【図５】色調整レイヤ７１０を用いた色変換処理を説明する図である。
【図６】ＵＩ装置４６に表示されるトップ画面８００を例示する図である。
【図７】１つのテンプレート（色調整レイアウト記憶部６４０に記憶されている色変換レイヤ）を用いて新たな色変換レイヤ７１０を作成する方法を説明する図である。
【図８】複数のテンプレート（色調整レイアウト記憶部６４０に記憶されている複数の色変換レイヤ）を用いて新たな色変換レイヤ７１０を作成する方法を説明する図である。
【図９】（Ａ）は、色変換係数選択画面８０２を例示し、（Ｂ）は、色調整設定画面８０４を例示する図である。
【図１０】画像処理システム１における印刷処理（Ｓ１０）を説明するフローチャートである。
【図１１】色変換レイアウト記憶部６４０に記憶される色調整レイアウトデータベース６４２を例示する図である。
【符号の説明】
【００６１】
４・・・クライアントＰＣ
５・・・印刷要求プログラム
５１０・・・印刷指示部
５２０・・・レイアウト表示部
５３０・・・色調整レイアウト作成部
５３２・・・調整領域選択部
５３４・・・変換係数選択部
５３６・・・色調整設定部
１０・・・プリンタ装置
６・・・印刷プログラム
６１０・・・印刷制御部
６２０・・・描画展開部
６３０・・・オブジェクト判定部
６４０・・・色変換レイアウト記憶部
６５０・・・変換係数格納部
６６０・・・色変換部
【図１】
2006094297.tif 000003
【図２】
2006094297.tif 000004
【図３】
2006094297.tif 000005
【図４】
2006094297.tif 000006
【図５】
2006094297.tif 000007
【図６】
2006094297.tif 000008
【図７】
2006094297.tif 000009
【図８】
2006094297.tif 000010
【図９】
2006094297.tif 000011
【図１０】
2006094297.tif 000012
【図１１】
2006094297.tif 000013